(57)【要約】【課題】複数のアンテナ端子を備えた基地局装置の測定時間を短縮させることができる測定装置を提供すること。【解決手段】無線信号を発生させて出力する信号発生器２と、信号発生器２の出力する無線信号を２つに分配する分配器３−１と、分配器３−１の出力する無線信号のそれぞれを２つに分配する分配器３−２、３と、少なくとも通信方式、周波数、振幅レベルにより定められた無線信号の発生条件と、測定項目とを入力する表示操作部６１と、表示操作部６１に入力された発生条件に従って信号発生部２に無線信号を発生させ、分配器３−１〜３により分配された無線信号を複数のアンテナ端子１１−１〜４のそれぞれに入力して測定項目について複数のアンテナ端子１１−１〜４に対する測定を並行して行なう制御部６３と、を備える。【選択図】図１
2016192709.tif 000002
【特許請求の範囲】
【請求項１】
複数のアンテナ端子を備えた基地局装置（１０）との間で無線信号を送受信して前記無線信号の測定を行なう測定装置（１）であって、
前記無線信号を発生させて出力する信号発生器（２）と、
前記信号発生器から出力された前記無線信号を２つ以上に分配する分配器（３−１〜３）と、
少なくとも通信方式、周波数、振幅レベルにより定められた前記無線信号の発生条件と、測定項目とを入力する操作部（６１）と、
前記操作部に入力された前記発生条件に従って前記信号発生部に前記無線信号を発生させ、前記分配器により分配された前記無線信号を前記複数のアンテナ端子のそれぞれに入力して前記測定項目について前記複数のアンテナ端子に対する測定を並行して行なう制御部（６３）と、を備える測定装置。
【請求項２】
前記信号発生器は、前記操作部に入力された前記発生条件に従った２つ以上の無線信号を発生させ、前記２つ以上の無線信号を加算して出力する請求項１に記載の測定装置。
【請求項３】
前記基地局装置の前記複数のアンテナ端子のそれぞれに入力される前記無線信号の信号レベルをそれぞれ調整する複数の可変減衰器（４−１〜４）を備える請求項１または２に記載の測定装置。
【請求項４】
複数のアンテナ端子を備えた基地局装置との間で無線信号を送受信して前記無線信号の測定を行なう測定方法であって、
入力された少なくとも通信方式、周波数、振幅レベルにより定められた発生条件に従って無線信号を発生させるステップと、
測定項目を入力するステップと、
発生した前記無線信号を分配して前記複数のアンテナ端子のそれぞれに入力させるステップと、
前記測定項目について前記複数のアンテナ端子に対する測定を並行して行なうステップと、を備えた測定方法。
【発明の詳細な説明】
【技術分野】
【０００１】
本発明は、基地局装置の送受信信号の測定を行なう測定装置に関する。
【背景技術】
【０００２】
携帯電話やデータ通信端末等の移動体通信端末と無線通信を行なう基地局装置の製造にあたり、組立、調整後に無線信号の送受信を測定する測定装置が用いられる。測定装置は、基地局装置の送信する無線信号を測定する送信試験や、基地局装置に無線信号を送信して基地局装置の受信スループットなどを測定する受信試験などが行なえるようになっている。
【０００３】
近年、基地局装置では、１台の基地局装置で複数の通信方式を利用可能にしたものが開発されている。このため、この種の基地局装置の製造ラインでは、複数の通信方式ごとに求められる測定項目について、より高速に測定できる測定装置が求められている。
【０００４】
特許文献１には、携帯電話やモバイル端末等の携帯端末から出力される無線信号を測定する測定装置において、複数の通信方式に対応した携帯端末の測定では、複数の通信方式に準拠した各試験信号が所定時間間隔をおいて連なった連続試験信号を受信し、受信した連続試験信号を測定することにより測定時間を短縮することが記載されている。
【先行技術文献】
【特許文献】
【０００５】
【特許文献１】特開２０１３−１９２２０８号公報
【発明の概要】
【発明が解決しようとする課題】
【０００６】
さらに、基地局装置では、複数のアンテナ端子を備えるものが開発されており、このような複数のアンテナ端子を備える基地局装置の測定をする場合、それぞれのアンテナ端子に対して送信試験及び受信試験を実施しなければならず、測定時間がアンテナ端子の数に応じて増大してしまう問題があり、測定時間の短縮が求められている。
【０００７】
そこで、本発明は、複数のアンテナ端子を備えた基地局装置の測定時間を短縮させることができる測定装置を提供することを目的としている。
【課題を解決するための手段】
【０００８】
本発明の測定装置は、複数のアンテナ端子を備えた基地局装置との間で無線信号を送受信して無線信号の測定を行なう測定装置であって、無線信号を発生させて出力する信号発生器と、信号発生器から出力された無線信号を２つ以上に分配する分配器と、少なくとも通信方式、周波数、振幅レベルにより定められた無線信号の発生条件と、測定項目とを入力する操作部と、操作部に入力された発生条件に従って信号発生部に無線信号を発生させ、分配器により分配された無線信号を複数のアンテナ端子のそれぞれに入力して測定項目について複数のアンテナ端子に対する測定を並行して行なう制御部と、を備えるものである。
【０００９】
この構成により、信号発生器の出力が複数の出力に分配されて複数のアンテナ端子の測定を並行して行なうことができ、複数のアンテナ端子を備えた基地局装置の測定時間を短縮させることができる。
【００１０】
また、本発明の測定装置において、信号発生器は、操作部に入力された発生条件に従った２つ以上の無線信号を発生させ、この２つ以上の無線信号を加算して出力するものである。
【００１１】
この構成により、予め設定された２つ以上の無線信号が加算されて出力される。このため、１つの無線信号だけでなく２つ以上の無線信号を加算した無線信号による測定を容易に行なうことができる。
【００１２】
また、本発明の測定装置は、基地局装置の複数のアンテナ端子のそれぞれに入力される無線信号の信号レベルをそれぞれ調整する複数の可変減衰器を備えるものである。
【００１３】
この構成により、基地局装置の各アンテナ端子へ入力する信号レベルを調整することができる。
【００１４】
また、本発明の測定方法は、複数のアンテナ端子を備えた基地局装置との間で無線信号を送受信して無線信号の測定を行なう測定方法であって、入力された少なくとも通信方式、周波数、振幅レベルにより定められた発生条件に従って無線信号を発生させるステップと、測定項目を入力するステップと、発生した無線信号を分配して複数のアンテナ端子のそれぞれに入力させるステップと、測定項目について複数のアンテナ端子に対する測定を並行して行なうステップと、を備えたものである。
【００１５】
この構成により、発生させた無線信号を同時に複数のアンテナ端子に供給して、複数のアンテナ端子の測定を並行して行なうことができ、複数のアンテナ端子を備えた基地局装置の測定時間を短縮させることができる。
【発明の効果】
【００１６】
本発明は、複数のアンテナ端子を備えた基地局装置の測定時間を短縮させることができる測定装置を提供することができる。
【図面の簡単な説明】
【００１７】
【図１】図１は、本発明の一実施形態に係る測定装置のブロック図である。
【図２】図２は、本発明の一実施形態に係る測定装置の測定経過の例を示すタイムチャートである。
【発明を実施するための形態】
【００１８】
以下、図面を参照して、本発明の実施形態について詳細に説明する。
図１において、本発明の一実施形態に係る測定装置１は、同軸ケーブル等を介して接続された基地局装置１０と無線信号を送受信するようになっている。測定装置１は、基地局装置１０の送信する無線信号を測定する送信試験や、基地局装置１０へ無線信号を送信して基地局装置１０の受信性能を測定する受信試験を行なうことができるようになっている。なお、本実施形態においては、基地局装置１０のアンテナ端子が、例えば、４つの場合を説明する。
【００１９】
測定装置１は、信号発生器２と、複数の分配器３−１〜３と、複数の可変減衰器４−１〜４と、複数の出力端子５−１〜４と、制御装置６と、入力端子７と、を含んで構成される。
【００２０】
信号発生器２は、受信試験において、予め設定された条件の通信規格の無線信号を発生させて希望波として出力する。また、信号発生器２は、予め設定された条件の通信規格の信号を発生させて妨害波として希望波に加算して出力することもできるようになっている。
【００２１】
分配器３−１は、信号発生器２の出力する希望波または予め設定された条件に従って希望波と妨害波を加算した無線信号を２つに分配する。分配器３−２、３は、分配器３−１の分配した出力をさらに２つに分配する。すなわち、分配器３−１〜３により信号発生器２の出力は４つの出力に分配される。
【００２２】
可変減衰器４−１〜４は、基地局装置１０のアンテナ端子１１−１〜４のそれぞれの入力信号レベルを調整するための可変可能な減衰器である。
【００２３】
出力端子５−１〜４は、可変減衰器４−１〜４の出力を基地局装置１０のアンテナ端子１１−１〜４と同軸ケーブル等を介して接続するための端子である。
【００２４】
制御装置６は、それぞれ図示しないＣＰＵ（Central Processing Unit）と、ＲＯＭ（Read Only Memory）と、ＲＡＭ（Random Access Memory）と、ハードディスク装置と、入出力ポートと、タッチパネルとを備えたコンピュータ装置によって構成されている。
【００２５】
このコンピュータ装置のＲＯＭ及びハードディスク装置には、コンピュータ装置を制御装置６として機能させるためのプログラムが格納されている。すなわち、ＣＰＵがＲＡＭを作業領域としてＲＯＭに格納されたプログラムを実行することにより、当該コンピュータ装置は、制御装置６として機能する。
【００２６】
制御装置６は、表示操作部６１と、波形記憶部６２と、制御部６３と、を備えている。表示操作部６１は、例えば、入力操作機能および表示機能を兼用するタッチパネルから構成されている。波形記憶部６２は、信号発生器２で派生する信号の元となる波形パターンを記憶するもので、例えば、ハードディスク装置から構成されている。
【００２７】
制御部６３は、ユーザの表示操作部６１による操作入力に従って、波形記憶部６２から指定された波形パターンを読みだし、指定された条件を設定して信号発生器２から信号を発生させる。
【００２８】
また、制御部６３は、基地局装置１０の受信試験においては、基地局装置１０において受信された無線信号に対応するデータが基地局装置１０の出力端子１２から入力端子７を介して入力されると、受信された信号の各種測定を行ない、結果を、例えば、表示操作部６１に表示するようになっている。なお、基地局装置１０において信号の測定を行なったり、他の装置により測定を行なったりするようにしてもよい。また、制御装置６は、信号発生器２に内蔵されていてもかまわない。
【００２９】
このような構成の測定装置１において、基地局装置１０の受信試験を行なう場合、まず、ユーザにより発生させる無線信号の条件が設定される。測定装置１は、信号発生器２から発生させる無線信号の設定の場合、ユーザによる表示操作部６１の操作により、波形記憶部６２に予め記憶された通信方式ごとの波形パターンの一覧を表示し、使用する波形パターンを選択させ、選択された波形パターンに対する各種の発生条件となる周波数、振幅レベルなどを設定させたりする。
【００３０】
また、希望波に妨害波を加えたい場合、測定装置１は、ユーザによる表示操作部６１の操作により、波形記憶部６２に予め記憶された通信方式ごとの波形パターンから加算する波形パターンを選択させ、選択された波形パターンに対する各種の発生条件となる周波数、振幅レベルなどを設定させたりする。
【００３１】
測定装置１は、このようにして設定した希望波や希望波及び妨害波の条件をハードディスク装置などの記憶装置に波形パターンに対する各種の発生条件と関連付けて発生信号として記憶させておくことができるようになっている。
【００３２】
このような発生信号の作成をした後、ユーザは、測定装置１の出力端子５−１〜４と基地局装置１０のアンテナ端子１１−１〜４とを同軸ケーブル等で接続し、また、基地局装置１０の受信後の信号の出力端子１２を測定装置１の入力端子７に接続する。
【００３３】
このとき、基地局装置１０が複数のアンテナ端子１１−１〜４を備えている場合、出力端子５−１〜４が複数あるので、それぞれを基地局装置１０の各アンテナ端子１１−１〜４へ個別に接続し、同時に無線信号を入力させることができるため、複数のアンテナ端子１１−１〜４の受信試験を並行して同時に実施することができる。
【００３４】
また、制御部６３は、可変減衰器４−１〜４を制御して、基地局装置１０のアンテナ端子１１−１〜４のそれぞれの入力信号レベルが一致するように調整する。
【００３５】
その後、測定装置１は、ユーザによる表示操作部６１の操作により、例えば、表示操作部６１に発生信号の波形パターンに対する各種の発生条件を表示させるなどして、使用する発生信号を選択させる。
【００３６】
そして、測定装置１は、選択された発生信号に設定された発生条件で信号発生器２から無線信号を発生させる。また、入力された基地局装置１０から出力される信号に対して基準感度測定、受信ダイナミックレンジ測定、隣接チャネル選択度測定、符号誤り率などの測定をして、結果を表示操作部６１に表示する。
【００３７】
以上のように構成された本実施形態に係る測定装置１による動作について、図２を参照して説明する。図２では、２つのアンテナ端子（ANT#0,ANT#1）を持つ基地局について、例えば、Ｗ−ＣＤＭＡ（登録商標）の測定、ＬＴＥの帯域幅２０MHzの測定、ＬＴＥの帯域幅５MHzの測定を行なう場合を示している。なお、それぞれの測定では、例えば、測定項目として基準感度測定、受信ダイナミックレンジ測定、隣接チャネル選択度測定、ブロッキング測定を行なう。なお、ここでは、基地局装置１０のアンテナ入力が、例えば、アンテナ端子＃０とアンテナ端子＃１の２つの場合で説明する。
【００３８】
図２（ａ）は、従来の測定装置による測定の経過を示している。従来の測定装置においては、まず、ユーザは、測定装置の信号出力を基地局装置１０のアンテナ端子＃０に接続する。
【００３９】
そして、図２（ａ）に示すように、ユーザは、Ｔ１において、アンテナ端子＃０のＷ−ＣＤＭＡ（登録商標）の測定を開始し、基地局装置１０のアンテナ端子＃０（ANT#0）に対しＷ−ＣＤＭＡ（登録商標）の基準感度測定の設定を行ない、測定装置１に測定開始の指示を行なう。測定装置１は、Ｗ−ＣＤＭＡ（登録商標）の希望波を送信して測定を行なう（ステップＳ１１）。
【００４０】
基準感度測定が終わると、ユーザは、基地局装置１０のアンテナ端子＃０に対しＷ−ＣＤＭＡ（登録商標）の受信ダイナミックレンジ測定の設定を行ない、測定装置１に測定開始の指示を行なう。測定装置１は、Ｗ−ＣＤＭＡ（登録商標）の希望波と妨害波を加算した無線信号を送信して測定を行なう（ステップＳ１２）。
【００４１】
受信ダイナミックレンジ測定が終わると、ユーザは、基地局装置１０のアンテナ端子＃０に対しＷ−ＣＤＭＡ（登録商標）の隣接チャネル選択度測定の設定を行ない、測定装置１に測定開始の指示を行なう。測定装置１は、Ｗ−ＣＤＭＡ（登録商標）の希望波と妨害波を加算した無線信号を送信して測定を行なう（ステップＳ１３）。
【００４２】
隣接チャネル選択度測定が終わると、ユーザは、基地局装置１０のアンテナ端子＃０に対しＷ−ＣＤＭＡ（登録商標）のブロッキング測定の設定を行ない、測定装置１に測定開始の指示を行なう。測定装置１は、Ｗ−ＣＤＭＡ（登録商標）の希望波と妨害波を加算した無線信号を送信して測定を行なう（ステップＳ１４）。
【００４３】
次に、ユーザは、Ｔ２において、アンテナ端子＃０のＬＴＥの帯域幅２０MHzの測定を開始し、基地局装置１０のアンテナ端子＃０に対しＬＴＥの帯域幅２０MHzの基準感度測定の設定を行ない、測定装置１に測定開始の指示を行なう。測定装置１は、ＬＴＥの帯域幅２０MHzの希望波を送信して測定を行なう（ステップＳ１５）。
【００４４】
基準感度測定が終わると、ユーザは、基地局装置１０のアンテナ端子＃０に対しＬＴＥの帯域幅２０MHzの受信ダイナミックレンジ測定の設定を行ない、測定装置１に測定開始の指示を行なう。測定装置１は、ＬＴＥの帯域幅２０MHzの希望波と妨害波を加算した無線信号を送信して測定を行なう（ステップＳ１６）。
【００４５】
受信ダイナミックレンジ測定が終わると、ユーザは、基地局装置１０のアンテナ端子＃０に対しＬＴＥの帯域幅２０MHzの隣接チャネル選択度測定の設定を行ない、測定装置１に測定開始の指示を行なう。測定装置１は、ＬＴＥの帯域幅２０MHzの希望波と妨害波を加算した無線信号を送信して測定を行なう（ステップＳ１７）。
【００４６】
隣接チャネル選択度測定が終わると、ユーザは、基地局装置１０のアンテナ端子＃０に対しＬＴＥの帯域幅２０MHzのブロッキング測定の設定を行ない、測定装置１に測定開始の指示を行なう。測定装置１は、ＬＴＥの帯域幅２０MHzの希望波と妨害波を加算した無線信号を送信して測定を行なう（ステップＳ１８）。
【００４７】
次に、ユーザは、Ｔ３において、アンテナ端子＃０のＬＴＥの帯域幅５MHzの測定を開始し、基地局装置１０のアンテナ端子＃０に対しＬＴＥの帯域幅５MHzの基準感度測定の設定を行ない、測定装置１に測定開始の指示を行なう。測定装置１は、ＬＴＥの帯域幅５MHzの希望波を送信して測定を行なう（ステップＳ１９）。
【００４８】
基準感度測定が終わると、ユーザは、基地局装置１０のアンテナ端子＃０に対しＬＴＥの帯域幅５MHzの受信ダイナミックレンジ測定の設定を行ない、測定装置１に測定開始の指示を行なう。測定装置１は、ＬＴＥの帯域幅５MHzの希望波と妨害波を加算した無線信号を送信して測定を行なう（ステップＳ２０）。
【００４９】
受信ダイナミックレンジ測定が終わると、ユーザは、基地局装置１０のアンテナ端子＃０に対しＬＴＥの帯域幅５MHzの隣接チャネル選択度測定の設定を行ない、測定装置１に測定開始の指示を行なう。測定装置１は、ＬＴＥの帯域幅５MHzの希望波と妨害波を加算した無線信号を送信して測定を行なう（ステップＳ２１）。
【００５０】
隣接チャネル選択度測定が終わると、ユーザは、基地局装置１０のアンテナ端子＃０に対しＬＴＥの帯域幅５MHzのブロッキング測定の設定を行ない、測定装置１に測定開始の指示を行なう。測定装置１は、ＬＴＥの帯域幅５MHzの希望波と妨害波を加算した無線信号を送信して測定を行なう（ステップＳ２２）。
【００５１】
さらに、ユーザは、測定装置の信号出力の接続を基地局装置１０のアンテナ端子＃０からアンテナ端子＃１に切り替え、アンテナ端子＃０と同様にアンテナ端子＃１（ANT#1）についても、Ｔ４からＷ−ＣＤＭＡ（登録商標）の測定を開始し（ステップＳ３１〜３４）、Ｔ５からＬＴＥの帯域幅２０MHzの測定を開始し（ステップＳ３５〜３８）、Ｔ６からＬＴＥの帯域幅５MHzの測定を開始し（ステップＳ３９〜４２）、Ｔ７において測定を終了する。
【００５２】
なお、ユーザが、測定開始前に希望波の通信規格の設定、妨害波の通信規格の設定、基準感度測定の設定、受信ダイナミックレンジ測定の設定、隣接チャネル選択度測定の設定を行なってから、測定装置１に測定開始の指示を行なうと、測定装置１が、ステップＳ１１からＳ４２の測定を、それぞれ連続して行なうように構成してもよい。
【００５３】
本実施形態の測定装置１では、図２（ｂ）に示すように、まず、ユーザは、測定装置１の、例えば、出力端子５−１、２をそれぞれ基地局装置１０のアンテナ端子＃０、＃１に接続する。
【００５４】
そして、ユーザは、Ｔ１１において、アンテナ端子＃０及び＃１のＷ−ＣＤＭＡ（登録商標）の測定を開始し、基地局装置１０のアンテナ端子＃０及び＃１に対しＷ−ＣＤＭＡ（登録商標）の基準感度測定の設定を行ない、測定装置１に測定開始の指示を行なう。測定装置１は、Ｗ−ＣＤＭＡ（登録商標）の希望波を送信してアンテナ端子＃０及び＃１の測定を並行して行なう（ステップＳ１１、Ｓ３１）。
【００５５】
基準感度測定が終わると、ユーザは、基地局装置１０のアンテナ端子＃０及び＃１に対しＷ−ＣＤＭＡ（登録商標）の受信ダイナミックレンジ測定の設定を行ない、測定装置１に測定開始の指示を行なう。測定装置１は、Ｗ−ＣＤＭＡ（登録商標）の希望波と妨害波を加算した無線信号を送信してアンテナ端子＃０及び＃１の測定を並行して行なう（ステップＳ１２、Ｓ３２）。
【００５６】
受信ダイナミックレンジ測定が終わると、ユーザは、基地局装置１０のアンテナ端子＃０及び＃１に対しＷ−ＣＤＭＡ（登録商標）の隣接チャネル選択度測定の設定を行ない、測定装置１に測定開始の指示を行なう。測定装置１は、Ｗ−ＣＤＭＡ（登録商標）の希望波と妨害波を加算した無線信号を送信してアンテナ端子＃０及び＃１の測定を並行して行なう（ステップＳ１３、Ｓ３３）。
【００５７】
隣接チャネル選択度測定が終わると、ユーザは、基地局装置１０のアンテナ端子＃０及び＃１に対しＷ−ＣＤＭＡ（登録商標）のブロッキング測定の設定を行ない、測定装置１に測定開始の指示を行なう。測定装置１は、Ｗ−ＣＤＭＡ（登録商標）の希望波と妨害波を加算した無線信号を送信してアンテナ端子＃０及び＃１の測定を並行して行なう（ステップＳ１４、Ｓ３４）。
【００５８】
次に、ユーザは、Ｔ１２において、アンテナ端子＃０及び＃１のＬＴＥの帯域幅２０MHzの測定を開始し、基地局装置１０のアンテナ端子＃０及び＃１に対しＬＴＥの帯域幅２０MHzの基準感度測定の設定を行ない、測定装置１に測定開始の指示を行なう。測定装置１は、ＬＴＥの帯域幅２０MHzの希望波を送信してアンテナ端子＃０及び＃１の測定を並行して行なう（ステップＳ１５、Ｓ３５）。
【００５９】
基準感度測定が終わると、ユーザは、基地局装置１０のアンテナ端子＃０及び＃１に対しＬＴＥの帯域幅２０MHzの受信ダイナミックレンジ測定の設定を行ない、測定装置１に測定開始の指示を行なう。測定装置１は、ＬＴＥの帯域幅２０MHzの希望波と妨害波を加算した無線信号を送信してアンテナ端子＃０及び＃１の測定を並行して行なう（ステップＳ１６、Ｓ３６）。
【００６０】
受信ダイナミックレンジ測定が終わると、ユーザは、基地局装置１０のアンテナ端子＃０及び＃１に対しＬＴＥの帯域幅２０MHzの隣接チャネル選択度測定の設定を行ない、測定装置１に測定開始の指示を行なう。測定装置１は、ＬＴＥの帯域幅２０MHzの希望波と妨害波を加算した無線信号を送信してアンテナ端子＃０及び＃１の測定を並行して行なう（ステップＳ１７、Ｓ３７）。
【００６１】
隣接チャネル選択度測定が終わると、ユーザは、基地局装置１０のアンテナ端子＃０及び＃１に対しＬＴＥの帯域幅２０MHzのブロッキング測定の設定を行ない、測定装置１に測定開始の指示を行なう。測定装置１は、ＬＴＥの帯域幅２０MHzの希望波と妨害波を加算した無線信号を送信してアンテナ端子＃０及び＃１の測定を並行して行なう（ステップＳ１８、Ｓ３８）。
【００６２】
次に、ユーザは、Ｔ１３において、アンテナ端子＃０及び＃１のＬＴＥの帯域幅５MHzの測定を開始し、基地局装置１０のアンテナ端子＃０及び＃１に対しＬＴＥの帯域幅５MHzの基準感度測定の設定を行ない、測定装置１に測定開始の指示を行なう。測定装置１は、ＬＴＥの帯域幅５MHzの希望波を送信してアンテナ端子＃０及び＃１の測定を並行して行なう（ステップＳ１９、Ｓ３９）。
【００６３】
基準感度測定が終わると、ユーザは、基地局装置１０のアンテナ端子＃０及び＃１に対しＬＴＥの帯域幅５MHzの受信ダイナミックレンジ測定の設定を行ない、測定装置１に測定開始の指示を行なう。測定装置１は、ＬＴＥの帯域幅５MHzの希望波と妨害波を加算した無線信号を送信してアンテナ端子＃０及び＃１の測定を並行して行なう（ステップＳ２０、Ｓ４０）。
【００６４】
受信ダイナミックレンジ測定が終わると、ユーザは、基地局装置１０のアンテナ端子＃０及び＃１に対しＬＴＥの帯域幅５MHzの隣接チャネル選択度測定の設定を行ない、測定装置１に測定開始の指示を行なう。測定装置１は、ＬＴＥの帯域幅５MHzの希望波と妨害波を加算した無線信号を送信してアンテナ端子＃０及び＃１の測定を並行して行なう（ステップＳ２１、Ｓ４１）。
【００６５】
隣接チャネル選択度測定が終わると、ユーザは、基地局装置１０のアンテナ端子＃０及び＃１に対しＬＴＥの帯域幅５MHzのブロッキング測定の設定を行ない、測定装置１に測定開始の指示を行なう。測定装置１は、ＬＴＥの帯域幅５MHzの希望波と妨害波を加算した無線信号を送信してアンテナ端子＃０及び＃１の測定を並行して行なう（ステップＳ２２、Ｓ４２）。そして、ユーザは、Ｔ１４において測定を終了する。
【００６６】
なお、ユーザが、測定開始前に希望波の通信規格の設定、妨害波の通信規格の設定、基準感度測定の設定、受信ダイナミックレンジ測定の設定、隣接チャネル選択度測定の設定を行なってから、測定装置１に測定開始の指示を行なうと、測定装置１が、ステップＳ１１からＳ４２の測定をアンテナ端子＃０、＃１に対して並行かつ連続して行なうようにしてもよい。例えば、ステップＳ１１とステップＳ３１の測定を並行して行ない、次に連続してステップＳ１２とステップＳ３２の測定を並行して行ない、以降、順次ステップＳ２２とステップＳ４２までの測定を並行して行う。
【００６７】
このように、上述の実施形態では、信号発生器２の出力を分配する分配器３−１〜３を備え、信号発生器２の出力を同時に複数のアンテナ端子１１−１〜４に供給しているため、複数のアンテナ端子１１−１〜４の測定を並行して行なうことができ、複数のアンテナ端子１１−１〜４を備えた基地局装置１０の測定時間を短縮させることができる。
【００６８】
本発明の実施形態を開示したが、当業者によっては本発明の範囲を逸脱することなく変更が加えられうることは明白である。すべてのこのような修正及び等価物が次の請求項に含まれることが意図されている。
【符号の説明】
【００６９】
１  測定装置
２  信号発生器
３−１〜３  分配器
４−１〜４  可変減衰器
【図１】
2016192709.tif 000003
【図２】
2016192709.tif 000004